【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
水分が供給されていない原紙シートを用い、水溶性バインダーが含浸されていない非湿潤状態にある原紙シートにエンボス加工を施して多数の凹凸体による嵩高部を前記原紙シートに形成するエンボス加工工程と、前記エンボス加工工程後に前記原紙シートに対し外面側から水溶性バインダーを供給してその水溶性バインダーを前記原紙シートに含浸させるバインダー含浸工程と、前記バインダー含浸工程後に前記原紙シートを乾燥させる乾燥工程と、前記乾燥工程後に前記原紙シートを折り畳む折り畳み工程と、前記原紙シートに対し水性薬剤を供給してその水性薬剤を前記原紙シートに含浸させる水性薬剤含浸工程と、を備えることを特徴とする水解紙の製造方法。
【請求項２】
前記水溶性バインダーと架橋反応を起こして前記水溶性バインダーを架橋構造にする架橋剤が、前記折り畳み工程より前に、前記原紙シートに含浸される請求項１に記載の水解紙の製造方法。
【請求項３】
前記水溶性バインダーと架橋反応を起こして前記水溶性バインダーを架橋構造にする架橋剤が、前記バインダー含浸工程において前記原紙シートに前記水溶性バインダーが含浸されるのに引き続いて、前記乾燥工程より前に前記原紙シートに含浸される請求項１又は２に記載の水解紙の製造方法。
【手続補正２】
【補正対象書類名】明細書
【補正対象項目名】発明の名称
【補正方法】変更
【補正の内容】
【発明の名称】水解紙の製造方法
【手続補正３】
【補正対象書類名】明細書
【補正対象項目名】０００１
【補正方法】変更
【補正の内容】
【０００１】  本発明は、トイレクリーナーなどに用いられる水解紙の製造方法に関する。
【手続補正４】
【補正対象書類名】明細書
【補正対象項目名】０００８
【補正方法】変更
【補正の内容】
【０００８】  本発明は上記の点に鑑みなされたもので、水溶性バインダーによる、エンボス加工時のエンボス装置との間の付着の問題がなく、製造が簡単であり製造コストも安価ですむ水解紙の製造方法を提供することを目的とする。また本発明は被清掃部を払拭した後、その被清掃部乾燥面に紙粉が残る虞のない水解紙の製造方法を提供することを目的とする。
【手続補正５】
【補正対象書類名】明細書
【補正対象項目名】０００９
【補正方法】変更
【補正の内容】
【０００９】  本発明は上記課題を解決するため、以下の如く構成してなるものである。即ち、本発明は、（１）水分が供給されていない原紙シートを用い、水溶性バインダーが含浸されていない非湿潤状態にある原紙シートにエンボス加工を施して多数の凹凸体による嵩高部を前記原紙シートに形成するエンボス加工工程と、前記エンボス加工工程後に前記原紙シートに対し外面側から水溶性バインダーを供給してその水溶性バインダーを前記原紙シートに含浸させるバインダー含浸工程と、前記バインダー含浸工程後に前記原紙シートを乾燥させる乾燥工程と、前記乾燥工程後に前記原紙シートを折り畳む折り畳み工程と、前記原紙シートに対し水性薬剤を供給してその水性薬剤を前記原紙シートに含浸させる水性薬剤含浸工程と、を備えることを特徴とする水解紙の製造方法、（２）前記水溶性バインダーと架橋反応を起こして前記水溶性バインダーを架橋構造にする架橋剤が、前記折り畳み工程より前に、前記原紙シートに含浸される前記（１）に記載の水解紙の製造方法、（３）前記水溶性バインダーと架橋反応を起こして前記水溶性バインダーを架橋構造にする架橋剤が、前記バインダー含浸工程において前記原紙シートに前記水溶性バインダーが含浸されるのに引き続いて、前記乾燥工程より前に前記原紙シートに含浸される前記（１）又は（２）に記載の水解紙の製造方法を要旨とする。
【手続補正６】
【補正対象書類名】明細書
【補正対象項目名】００１０
【補正方法】変更
【補正の内容】
【００１０】  本発明の水解紙の製造方法は、水分が供給されていない原紙シートを用い、水溶性バインダーが含浸されていない非湿潤状態にある原紙シートにエンボス加工を施して、多数の凹凸体による嵩高部を形成するものであるから、エンボス加工に当って、水溶性バインダーによるエンボス装置との間の付着の問題がなく、製造容易である。また、水溶性バインダーは原紙シートの外面側から含浸しているので、水解紙の表面にも水溶性バインダーが含浸されており、そのため水解紙表面に必要な強度が付与される結果、本発明により製造される水解紙を用いて被清掃部を払拭した後、その乾燥面に紙粉が残る虞がなく、紙粉発生を防止できる。更に、水溶性バインダーは架橋構造を有しているので、湿潤状態における水解紙の強度が高く、使用感に優れたものである。
【手続補正７】
【補正対象書類名】明細書
【補正対象項目名】００１１
【補正方法】変更
【補正の内容】
【００１１】  本発明の水解紙の製造方法は、水分が供給されていない原紙シートを用い、水溶性バインダーが含浸されていない非湿潤状態にある原紙シートにエンボス加工を施すので、原紙シートがエンボス装置に付着する虞がなく、従って、エンボス装置に剥離剤を塗布したり、或いは原紙シートに剥離剤を塗布したりする必要がなく、エンボス工程を簡略化でき、製造効率を向上できる。その結果、本発明によれば製造が簡単となり、製造コストの低減を図ることができる。
【手続補正８】
【補正対象書類名】明細書
【補正対象項目名】００１３
【補正方法】変更
【補正の内容】
【００１３】 本発明は、水解性を有する紙材料から水解紙を製造する。本発明は、原料シートとしての原紙シートに複数工程による加工を施して水解紙を製造するものであり、ここにおいて原紙シートの材料としては、種々の原料パルプを用いることができる。本発明において用いることができる原料パルプとして例えば、木材パルプ、合成パルプ、古紙パルプなどが挙げられる。またパルプなどの天然繊維に限られず、レーヨンなどの半合成繊維なども用いることができる。更に、本発明は原料パルプとして、トイレットペーパー材料を用いることができ、この場合、針葉樹晒クラフトパルプと広葉樹晒クラフトパルプを配合してなるものを用いることが好ましい。また本発明における原紙シートの材料として、ケナフ、竹繊維、藁、綿、繭糸などを用いることができる。
【手続補正９】
【補正対象書類名】明細書
【補正対象項目名】００２４
【補正方法】変更
【補正の内容】
【００２４】 水分が供給されていない原紙シートを用い、水溶性バインダーが含浸されていない非湿潤状態にある原紙シート２にエンボス加工が施される。ここにおいて、非湿潤状態とは、原紙シート２に水を吹き付けるなどして原紙シート２に水分を供給した態様を含まないという意味である。通常、紙材料は気温、湿度条件に相応した湿気（水分）を含んでいるが、この湿気（水分）は外部から積極的に供給した水分ではないから、かかる湿気（水分）を含んでいても本発明にいう非湿潤状態に相当する。従って、気温、湿度条件によって原紙シート２に含まれる湿気（水分）の含有率も変化するが、その含有率がどのような数値であろうとも、本発明にいう非湿潤状態に相当するものといえる。
【手続補正１０】
【補正対象書類名】明細書
【補正対象項目名】００３０
【補正方法】変更
【補正の内容】
【００３０】  上記した水溶性バインダーの供給によって、原紙シート２に水溶性バインダーが含浸される。ここにおいて本発明の製造方法は、エンボス加工時に原紙シート２において繊維間結合の一部に破壊が生じる態様を含んでいる。このように原紙シート２に繊維間結合破壊が生じている場合には、その繊維間結合破壊箇所が水溶性バインダーの浸透し易い部位となり、それにより全体的に水溶性バインダーの浸透速度が大きくなり、従って、繊維間結合破壊が生じていない場合に比べて水溶性バインダーの浸透速度が大きく、水溶性バインダーを効率よく浸透させることができる。また繊維間結合破壊箇所に水溶性バインダーが入り込むことにより、繊維同士は水溶性バインダーを介して結合される形となり、繊維間の結合は強固となる。即ち、水溶性バインダーが乾燥して膜化したときに、このバインダー膜の強度は繊維の持つ強度よりも大きいものであり、それ故、水解紙の強度向上を図れる。更に、後述する架橋が行われたときは、バインダー膜の強度は一段と大きくなる。
【手続補正１１】
【補正対象書類名】明細書
【補正対象項目名】００５１
【補正方法】変更
【補正の内容】
【００５１】  このようにして、水性薬剤を含浸してなる水解紙が得られる。本発明により製造される水解紙とは、折り畳まれた形状のもの（折り畳み体）を意味するだけでなく、展開状態の平らなシート体をも意味する概念である。折り畳まれた水解紙はその複数束が密封袋に袋詰めされ、かくしてトイレクリーナーやおしり拭きなどに用いられる製品１１が得られる。
【手続補正１２】
【補正対象書類名】明細書
【補正対象項目名】００６２
【補正方法】変更
【補正の内容】
【００６２】 本発明により製造される水解紙において、凹凸体１２における凸部１３と凹部１４の形状は任意であり、図２に示すような円形に限定されず、楕円形、三角形、四角形、菱形などであってもよく、また不定形図柄や花柄模様などの模様図柄であってもよい。
【手続補正１３】
【補正対象書類名】明細書
【補正対象項目名】００６３
【補正方法】変更
【補正の内容】
【００６３】 本発明により製造される水解紙は架橋構造を有する水溶性バインダーを含有している。製造工程において電磁波乾燥が行われた場合は、水解紙は電磁波乾燥処理が施された水溶性バインダーを含有する形態となる。また、製造工程において遠赤外線乾燥が行われた場合は、水解紙は遠赤外線乾燥処理が施された水溶性バインダーを含有する形態となる。本発明において、水溶性バインダーは原紙シートの外面側から供給されるので、水溶性バインダーの含浸領域には水解紙の表面も含まれる。従って、水解紙の表面にも水溶性バインダーが含浸されており、それにより水解紙表面に必要な強度が付与されるため、本発明水解紙を用いて被清掃部を払拭した場合において、払拭した後、その乾燥面に紙粉が残る虞がなく、紙粉発生を防止できるものである。
【手続補正１４】
【補正対象書類名】明細書
【補正対象項目名】００６４
【補正方法】変更
【補正の内容】
【００６４】 本発明により製造される水解紙は、トイレにおける便器やトイレ周りの清掃を行うための清掃用品、或いはおしり拭き用品などに用いることができる。本発明により製造される水解紙は、湿潤状態で所定の強度を有し、使用時に破れを生じることがなく、使用感に優れ、また使用後は便器に流すことにより速やかに水解し、下水管を詰まらせる虞がなく、このように強度と水解性共に優れているものである。